(57)【要約】【課題】災害等の非常事態で停電しても、発光して通行及び避難の誘導ができる誘導用舗装板を提供する。【解決手段】基板と該基板の表面に設けられた誘導用標識とで構成される誘導用舗装板であって、前記誘導用標識は蓄光剤が含有された樹脂板で形成されている。この誘導用舗装板は、床面や壁面に配置して敷設され、暗闇でも発光し通行を誘導する。【選択図】          図１
2004197518.tif 000002
【特許請求の範囲】
【請求項１】
基板と、該基板の表面に設けられた誘導用標識とで構成される誘導用舗装板であって、前記誘導用標識は、蓄光剤が含有された樹脂板で形成されていることを特徴とする誘導用標識。
【請求項２】
前記誘導用標識は、蓄光剤が含有された樹脂板で矢印状に形成され、この誘導用標識が、基板の表面に前記矢印状の誘導用標識に対応する矢印状に形成された凹部に嵌装されていることを特徴とする請求項１記載の誘導用舗装板。
【発明の詳細な説明】
【発明の属する技術分野】
【０００１】
この発明は、建造物の床面や壁面、地下プロムナード等に使用する誘導用舗装板に関し、特に、災害等の非常事態の停電時に有効な誘導用舗装板に関する。
【０００２】
【従来の技術】
従来、図６に示すような基板２２からなる舗装板２１はよく知られている。この舗装板２１の基板２２は、コンクリート、石、陶器、合成樹脂等で形成されている。このような従来の舗装板２１は、美麗であるし強固で耐久性に富み、通常の舗装板として使用するのでは充分である。
【０００３】
ところで、建造物、地下プロムナード及び地下駅などには、災害などの非常時に避難するための避難口や避難誘導路などが用意され通常は電気照明などで表示されている。しかし、災害などの非常時には電気系統も損傷を受けて通電が停止されることが多く、照明は停電してしまうため、夜間や太陽光の届かない地下部においては避難誘導ができなくなってしまう。このような場合に前記従来の舗装板を使用した床面や通路でも当然に避難誘導はできない。
【０００４】
そこで、発光ダイオード等の発光体を埋設した舗装板が提案され、この舗装板を地下道や地下街等の床面に使用し、非常口避難誘導を行うものが公知である（例えば、特許文献１参照）。
また、舗装板の基板を構成する材料に紫外線照射による発光する蛍光体を含浸または塗布した舗装板を、建築物や地下道の床面に使用し、避難誘導を行うものが提案された（例えば、特許文献１，特許文献２参照）。
【０００５】
【特許文献１】
実願平１−１０５９５号（実開平２−１０１９０９号）のマイクロフィルム（第１頁第１８行〜第２頁第９行、実用新案登録請求の範囲、図１）。
【特許文献２】
実願昭６３−７６５９２号（実開平１−１８０５１０号）のマイクロフィルム（実用新案登録請求の範囲、図１）。
【０００６】
【発明が解決しようとする課題】
しかしながら、発光ダイオード等の発光体を埋設した舗装板は、構造が複雑となるし製造にも手数がかかるので高価となるし、やはり電圧の印加が必要となるため電気系統が故障すると役目をなさなくなる。
また、紫外線照射により発光する蛍光体を含浸または塗布した舗装板は、紫外線照射されている間は発光するが、夜間の災害等において電気系統が障害を起こし停電したりすると暗闇となるので、発光しなくなり誘導の役目は果たさなくなる。
さらに、蛍光塗料を塗布した舗装板は、歩行者の歩行によって摩耗し、塗装が無くなるので補修が短期間で必要ともなる。
【０００７】
この発明は、このような課題を解決せんと提案されたものであり、その目的は、夜間及び災害等の非常事態で停電しても、発光して通行及び避難の誘導ができる誘導用舗装板を提供することにある。
【０００８】
【課題を解決するための手段】
前記課題を解決するため、この発明の誘導用舗装板は、基板と、該基板の表面に設けられた誘導用標識とで構成される誘導用舗装板であって、前記誘導用標識は、蓄光剤が含有された樹脂板で形成されていることを特徴とする。
また、この発明の誘導用舗装板は、蓄光剤が含有された樹脂板で矢印状に形成され、この誘導用標識が、基板の表面に前記矢印状の誘導用標識に対応する矢印状に形成された凹部に嵌装されていることを特徴とする。
【０００９】
この発明の誘導用舗装板によれば、蓄光剤が含有された樹脂板で形成された誘導用標識が設けられているので、夜間及び災害等の非常事態で停電し、建造物内、地下プロムナード及び地下駅内等が暗闇になっても、誘導用標識は蓄光剤で発光しているので誘導が可能となる。従って、この発明の誘導用舗装板を、建造物の床面や壁面、地下プロムナードの床面や壁面及び地下駅やプラットホームに、通行を誘導できるように配置して使用することによって、夜間及び停電時に暗闇でも通行を誘導することができる。
【００１０】
【発明の実施の形態】
以下、この発明を図面に示す実施の形態について詳細に説明する。図１はこの発明の実施の形態を示す誘導用舗装板の斜視図である。
この誘導用舗装板は、基板２と、該基板２の表面に設けられた誘導用標識３とで構成されている。
【００１１】
この基板２は、セメント、コンクリート、石、陶器及び合成樹脂等で形成されており、使用する場所によって適宜選択される。また、形状は図１では方形の形状をしているが、この形状に制限されるものではなく、適宜の形状及び厚さが選択される。
【００１２】
誘導用標識３は、蓄光剤が含有された樹脂板３ａで構成されている。この樹脂板３ａは、別に製造したものを基板２の表面に貼着したり、埋設してもよいし、基板２の表面に型を凹設して、この型に蓄光剤が含有された流動性の樹脂を流し込んで固化させて形成してもよい。壁面に使用する場合は、樹脂板３ａが基板２の表面より突出してもよいが、床面に使用する場合には樹脂板３ａが基板２の表面より突出すると、歩行者がつまずいたりして歩行の邪魔になるので、基板２の表面と面一になるようにするのが好ましい。従って、樹脂板３ａを基板２の表面に貼着する場合は、樹脂板３ａを嵌め込む凹部を形成し、この凹部に嵌め込んで貼着し面一としたり、基板２の表面に凹設した型にも流動性の樹脂は、面一となるように流し込む。
【００１３】
ここで誘導用標識３を蓄光剤を含有する樹脂板（型に流し込み固化し場合も含む）３ａとしたのは、歩行者の歩行により摩耗が少なく耐久性があり、しかも装飾的に選択範囲が広いからである。
また、樹脂板３ａを形成する樹脂に特に制限はないが、含有した蓄光剤が発光したときに外部から視認できるものが好ましい。その点では透明及び半透明の樹脂が望ましい。
【００１４】
図２は基板の表面に誘導用標識としての樹脂板を設ける好ましい実施の形態を示す斜視図である。誘導用標識３となる樹脂板３ａは、矢印状に形成され、基板２の表面には該矢印状の樹脂板３ａに対応する矢印状の凹部４が形成され、矢印状に形成された樹脂板３ａは、該凹部４に嵌め込んで固定される。この時、凹部４の深さは樹脂板３ａの肉厚の長さと等しくする。これにより樹脂板３ａは基板２の表面と面一となり、図１に示すような誘導用舗装板１となる。
【００１５】
誘導用標識３としての形状は、前記実施の形態に制限されるものではなく、通行を誘導できる形状であれば種々の変更が許容される。図３（ａ）（ｂ）は誘導用標識３の他の形状を例示した斜視図であり、（ａ）は矢印が直線の途中から直交方向に向いて設けられた形状であり、このような形状とすると、交差点を曲がる通行の誘導に有益となる。このように誘導する場所に対応して好ましい形状を選択することが望ましい。また、図３（ｂ）は誘導用標識３が三角状の樹脂板３ａで構成された場合であり、この誘導用標識３でも通行を誘導することができる。
【００１６】
しかして、図４に示すようにこの誘導用舗装板１を、建造物、地下街、地下道、地下駅及びプラットホーム等の床面や壁面に、通行を誘導できるように配置して設けると、夜間及び停電において暗闇になっても、誘導用標識３は蓄光剤を含有しており、この蓄光剤は蓄光しており、暗闇になっても発光するので、通行を誘導できる。従って、特に災害時に停電しても安全に誘導して避難させることができる。図４では暗闇になっても誘導用標識３が発光し、誘導できる様子が理解できる。
導用舗装板１は、このように暗闇になったときに通行を誘導するものであるので、床面や壁面に必ずしも連続して敷き詰める必要はなく、視認して誘導可能な範囲において間欠的に配設してもよい。図4では間欠的に配置した場合を示している。
【００１７】
前記実施の形態は、健康者の舗装板の場合を示しているが、これは盲人誘導用の舗装板に適用してもよい。図５は盲人誘導用の舗装板に適用した使用例を示す斜視図である。盲人誘導用の舗装板１１が、非常時に避難口や避難場所に誘導するものである場合には、この盲人誘導用舗装板１１に、前記実施の形態と同様の誘導用標識３を設けておけば、これにより夜間及び停電で暗闇になっても健康者の通行も誘導できる。この誘導用標識３も前記実施の形態と同様の蓄光剤を含有した樹脂板３ａで形成されており、前記実施の形態と同様の作用をする。
【００１８】
なお、前記実施の形態はこの発明を制限するものではなく、この発明は要旨を逸脱しない範囲において種々の変形が許容される。例えば、前記実施の形態は、床面に適用した場合で説明しているが、これは壁面に適用してもよい。
【００１９】
【発明の効果】
以上詳細に説明した通り、この発明の誘導用舗装板によれば、次のような効果を奏する。
（１）基板の表面に蓄光剤が含有された樹脂板で形成された誘導用標識が設けられているので、通行路に沿って床面や壁面に通行をガイドするように配設しておけば、夜間及び停電等の暗闇であっても蓄光剤が発光し通行を誘導してくれる。従って、特に災害等の非常時において電気系統が障害を起こし使用不能（例えば停電）になっても、避難口や避難通路に向かって通行を誘導してくれるので安全が確保される。
【００２０】
（２）誘導用標識は、蓄光剤が含有された樹脂板で形成されているので、歩行者が歩いても摩耗が少なく耐久性に富むと共に、装飾的にバリエーションの選択範囲が広くなる。また、製造も容易であり、安価に提供できる。
【図面の簡単な説明】
【図１】この発明の実施の形態を示す誘導用舗装板の斜視図である。
【図２】基板の表面に誘導用標識としての樹脂板を設ける実施の形態を示す斜視図である。
【図３】誘導用標識の他の形状（ａ）（ｂ）を示す斜視図である。
【図４】この発明の実施の形態の使用例を示す斜視図である。
【図５】この発明の他の実施の形態の使用例を示す斜視図である。
【図６】従来例を示す斜視図である。
【符号の説明】
１    誘導用舗装板
２    基板
３    誘導用標識
３ａ  誘導用標識としての樹脂板
４    凹部
【図１】
2004197518.tif 000003
【図２】
2004197518.tif 000004
【図３】
2004197518.tif 000005
【図４】
2004197518.tif 000006
【図５】
2004197518.tif 000007
【図６】
2004197518.tif 000008